(57)【特許請求の範囲】
【請求項１】
第１ネットワークに接続された制御装置が、第２ネットワークに接続された空気調和機を、前記第１ネットワークと前記第２ネットワークとを中継する中継器を介して制御するネットワーク空調システムであって、
前記第２ネットワークを探索し、前記第２ネットワークに接続された空気調和機の第２ネットワークアドレスを取得する第２情報取得部と、
前記第１ネットワークを探索し、前記第１ネットワークに接続された空気調和機の第１ネットワークアドレスのデータベースを生成するデータベース生成部と、
前記データベース生成部で生成されたデータベースを参照して、前記第２ネットワークに接続された空気調和機に、前記第１ネットワークの第１ネットワークアドレスのうちの空きアドレスを割り当てるアドレス割り当て部と、
前記アドレス割り当て部で割り当てられた第１ネットワークアドレスを、前記第２情報取得部で取得された第２ネットワークアドレスに変換するアドレス変換テーブルを生成するテーブル生成部と、
を備えるネットワーク空調システム。
【請求項２】
前記アドレス割り当て部は、
前記第２ネットワークに接続された空気調和機に、連番の空きアドレスを割り当てる、
請求項１に記載のネットワーク空調システム。
【請求項３】
前記アドレス割り当て部は、
ユーザに指定されたアドレスを基準とする連番のアドレスを、前記第２ネットワークに接続された空気調和機に割り当てる、
請求項２に記載のネットワーク空調システム。
【請求項４】
前記アドレス割り当て部は、
ユーザに指定されたアドレスを基準とする連番のアドレスが、前記第１ネットワークに接続された空気調和機のアドレスと重複する場合には、
他の連番の空きアドレスを、前記第２ネットワークに接続された空気調和機に割り当てる、
請求項３に記載のネットワーク空調システム。
【請求項５】
前記第２ネットワークに接続された空気調和機のアドレスが、ユーザに指定されたアドレスを基準とする連番のアドレスではないことを前記ユーザに通知する通知部をさらに備える、
請求項４に記載のネットワーク空調システム。
【請求項６】
前記アドレス割り当て部は、
ユーザに指定されたアドレスを基準とする連番のアドレスが、前記第１ネットワークに接続された空気調和機のアドレスと重複する場合には、
前記第１ネットワークに接続された空気調和機のアドレスを、前記第２ネットワークに接続された空気調和機に割り当てるアドレスと重複しないように変更する、
請求項３に記載のネットワーク空調システム。
【請求項７】
前記第１ネットワークに接続された空気調和機のアドレスが、変更されたことを前記ユーザに通知する通知部をさらに備える、
請求項６に記載のネットワーク空調システム。
【請求項８】
前記第２情報取得部と、前記データベース生成部と、前記アドレス割り当て部と、前記テーブル生成部とが、前記中継器に設けられている、
請求項１から７のいずれか一項に記載のネットワーク空調システム。
【請求項９】
前記第２情報取得部と、前記テーブル生成部とが、前記中継器に設けられ、
前記データベース生成部と、前記アドレス割り当て部とが、前記制御装置に設けられている、
請求項１から７のいずれか一項に記載のネットワーク空調システム。
【請求項１０】
第１ネットワークと第２ネットワークとを中継する中継器であって、
前記第２ネットワークを探索し、前記第２ネットワークに接続された空気調和機の第２ネットワークアドレスを取得する第２情報取得部と、
前記第１ネットワークを探索し、前記第１ネットワークに接続された空気調和機の第１ネットワークアドレスのデータベースを生成するデータベース生成部と、
前記データベース生成部で生成されたデータベースを参照して、前記第２ネットワークに接続された空気調和機に、前記第１ネットワークの第１ネットワークアドレスのうちの空きアドレスを割り当てるアドレス割り当て部と、
前記アドレス割り当て部で割り当てられた第１ネットワークアドレスを、前記第２情報取得部で取得された第２ネットワークアドレスに変換するアドレス変換テーブルを生成するテーブル生成部と、
を備える中継器。
【請求項１１】
第１ネットワークと第２ネットワークとを中継するコンピュータを、
前記第２ネットワークを探索し、前記第２ネットワークに接続された空気調和機の第２ネットワークアドレスを取得する第２情報取得部、
前記第１ネットワークを探索し、前記第１ネットワークに接続された空気調和機の第１ネットワークアドレスのデータベースを生成するデータベース生成部、
前記データベース生成部で生成されたデータベースを参照して、前記第２ネットワークに接続された空気調和機に、前記第１ネットワークの第１ネットワークアドレスのうちの空きアドレスを割り当てるアドレス割り当て部、
前記アドレス割り当て部で割り当てられた第１ネットワークアドレスを、前記第２情報取得部で取得された第２ネットワークアドレスに変換するアドレス変換テーブルを生成するテーブル生成部、
として機能させるプログラム。
【発明の詳細な説明】
【技術分野】
【０００１】
この発明は、ネットワーク空調システム、中継器及びプログラムに関する。
【背景技術】
【０００２】
同一バス上に、集中制御装置と、室外機、室内機などの空気調和機とを並列に接続し、集中制御装置によって空気調和機を制御する空調システムが知られている（例えば、特許文献１参照）。【０００３】
空調システムは、上位バスで接続される空調システム（上位空調システム）と、下位バスで接続される空調システム（下位空調システム）とを接続することにより、空調システムを拡張してネットワーク空調システムを構成することが可能である。上位空調システムと下位空調システムとで通信方式が異なるネットワーク空調システムで、上位空調システムから下位空調システムの空気調和機の個別制御を行う場合について考える。この場合には、下位空調システムの空気調和機に、上位空調システムと通信を行う機能を新たに設ける必要がある。さらに、上位空調システムが、制御対象となる下位空調システムの空気調和機を特定できるようにする必要がある。【０００４】
そこで、上位空調システムのバスと下位空調システムのバスとの間にコンバータを設け、上位空調システムと下位空調システムを接続しているシステムが開示されている（例えば、特許文献２参照）。【０００５】
特許文献２に開示されたコンバータは、プロトコル変換機能を有している。コンバータは、制御対象となる空気調和機のアドレスを宛先とする制御コマンドを受信し、プロトコル変換部により制御コマンドの解釈、通信方式の変換を行う。このコンバータにより、通信方式が互いに異なるネットワーク間の通信が可能となり、上位空調システムから下位空調システムの空気調和機の個別制御が可能となる。
【先行技術文献】
【特許文献】
【０００６】
【特許文献１】特許第４０４３１６４号公報
【特許文献２】特開２００４−３０１４３０号公報
【発明の概要】
【発明が解決しようとする課題】
【０００７】
既存の上位空調システム（上位ネットワーク）及び既存の下位空調システム（下位ネットワーク）では、各空気調和機に、それぞれ個別のアドレスが割り当てられているのが、一般的である。上記特許文献２に記載されたネットワークエアコンシステムで、制御装置から他のフィールドネットワークに接続された空気調和機を制御するためには、その制御装置が、他のフィールドネットワークに接続された空気調和機のアドレスを、送信先として特定する必要がある。しかしながら、上記特許文献２には、他のフィールドネットワークに接続された空気調和機のアドレスを特定する方法については、特に開示はされていない。このため、上位ネットワークから下位ネットワークの空気調和機の個別制御を行おうとすれば、現実的には、上位ネットワーク、下位ネットワークについて、アドレス体系を統一化するなどのシステムの仕様の変更が必要となる。【０００８】
この発明は、上記課題を解決するためになされたもので、上位ネットワーク、下位ネットワークの仕様を変更することなく、既存の上位ネットワークから既存の下位ネットワークの空気調和機の個別制御を行うことができるネットワーク空調システム、中継器及びプログラムを提供することを目的とする。
【課題を解決するための手段】
【０００９】
上記目的を達成するため、この発明に係るネットワーク空調システムは、
第１ネットワーク（例えば、上位ネットワーク）に接続された制御装置が、第２ネットワーク（例えば、下位ネットワーク）に接続された空気調和機を、前記第１ネットワークと前記第２ネットワークとを中継する中継器を介して制御するネットワーク空調システムであって、
前記第２ネットワークを探索し、前記第２ネットワークに接続された空気調和機の第２ネットワークアドレス（例えば、下位アドレス）を取得する第２情報取得部と、
前記第１ネットワークを探索し、前記第１ネットワークに接続された空気調和機の第１ネットワークアドレス（例えば、上位アドレス）のデータベースを生成するデータベース生成部と、
前記データベース生成部で生成されたデータベースを参照して、前記第２ネットワークに接続された空気調和機に、前記第１ネットワークの第１ネットワークアドレスのうちの空きアドレスを割り当てるアドレス割り当て部と、
前記アドレス割り当て部で割り当てられた第１ネットワークアドレスを、前記第２情報取得部で取得された第２ネットワークアドレスに変換するアドレス変換テーブルを生成するテーブル生成部と、
を備える。
【発明の効果】
【００１０】
この発明によれば、下位ネットワークに接続された空気調和機に、上位ネットワークの上位アドレスを割り当てることができるので、上位ネットワーク、下位ネットワークの仕様を変更することなく、既存の上位ネットワークに接続された制御装置から既存の下位ネットワークに接続された空気調和機の個別制御を行うことができる。
【図面の簡単な説明】
【００１１】
【図１】この発明の実施の形態１に係るネットワーク空調システムの構成を示すブロック図である。
【図２】この発明の実施の形態１に係るネットワーク空調システムにおける中継器の第１通信部の構成を示すブロック図である。
【図３】この発明の実施の形態１に係るネットワーク空調システムにおける中継器の制御部の構成を示すブロック図である。
【図４】この発明の実施の形態１に係るネットワーク空調システムにおけるアドレス設定時の中継器の処理のフローチャートである。
【図５】この発明の実施の形態１に係るネットワーク空調システムにおけるアドレス設定時の中継器のアドレス割り当て処理のフローチャートである。
【図６】この発明の実施の形態１に係るネットワーク空調システムにおけるアドレスデータベースのデータ構成の一例を示す図である。
【図７】この発明の実施の形態１に係るネットワーク空調システムにおけるアドレス変換テーブルのデータ構成の一例を示す図である。
【図８】この発明の実施の形態２に係るネットワーク空調システムにおけるアドレス設定時の中継器の処理のフローチャートである。
【図９】この発明の実施の形態２に係るネットワーク空調システムにおけるアドレス設定時の中継器のアドレス割り当て処理のフローチャートである。
【図１０】この発明の実施の形態２に係るネットワーク空調システムにおけるアドレスデータベースのデータ構成の一例を示す図である。
【図１１】この発明の実施の形態２に係るネットワーク空調システムにおけるアドレス変換テーブルのデータ構成の一例を示す図である。
【図１２】この発明の実施の形態３に係るネットワーク空調システムの構成を示すブロック図である。
【図１３】この発明の実施の形態３に係るネットワーク空調システムにおける中継器の制御部の構成を示すブロック図である。
【図１４】この発明の実施の形態３に係るネットワーク空調システムにおけるアドレス設定時の中継器の処理のフローチャートである。
【図１５】この発明の実施の形態３に係るネットワーク空調システムにおけるアドレス設定時の集中制御装置のアドレス割り当て処理のフローチャートである。
【図１６】この発明の実施の形態４に係るネットワーク空調システムにおけるアドレス設定時の集中制御装置のアドレス割り当て処理のフローチャートである。
【発明を実施するための形態】
【００１２】
以下、この発明の実施の形態について図面を参照して詳細に説明する。
【００１３】
以下の実施の形態では、上位ネットワークによって構成される上位空調システムと、下位ネットワークによって構成される複数の下位空調システムとを接続する中継器と、その中継器を介して接続し、上位空調システムの集中制御装置から下位空調システムの空気調和機の個別制御を行うネットワーク空調システムとについて説明する。ここで、上位ネットワークのアドレスを上位アドレスとし、下位ネットワークのアドレスを下位アドレスとする。
【００１４】
実施の形態１．
まず、この発明の実施の形態１について説明する。
【００１５】
この実施の形態では、図１を参照して、ネットワーク空調システム９００の構成について説明するが、この構成は、この発明を限定するものではない。
【００１６】
（ネットワーク空調システムの構成）
図１には、この実施の形態に係るネットワーク空調システム９００の概略的な構成が示されている。このネットワーク空調システム９００は、第１空調システム６００Ａと、第２空調システム６００Ｂ、６０１Ｂと、第３空調システム６００Ｃとを備える。この実施の形態では、第１空調システム６００Ａが上位空調システムに対応し、第２空調システム６００Ｂ、６０１Ｂ、第３空調システム６００Ｃが下位空調システムに対応する。ネットワーク空調システム９００は、上位ネットワークに接続された集中制御装置が、下位ネットワークに接続された空気調和機を、上位ネットワークと下位ネットワークとを中継する中継器を介して制御するシステムである。
【００１７】
第１空調システム６００Ａは、集中制御装置１、室外機１１０及び室内機１２０を備える。第１空調システム６００Ａでは、第１通信方式で通信が行われる。
【００１８】
第２空調システム６００Ｂは、室内機２００を備える。第２空調システム６０１Ｂは、室外機２１０と、室内機２２０とを備える。第２空調システム６００Ｂ、６０１Ｂでは、第２通信方式で通信が行われる。
【００１９】
第３空調システム６００Ｃは、室内機２３０を備える。第３空調システム６００Ｃでは、第３通信方式で通信が行われる。
【００２０】
第１空調システム６００Ａと、第２空調システム６００Ｂ、６０１Ｂと、第３空調システム６００Ｃとは、中継器１００を用いて互いに接続されている。
【００２１】
集中制御装置１、中継器１００、室外機１１０及び室内機１２０は、第１バス４００で接続される。室内機２００は、第２バス５００を介して中継器１００に接続される。室外機２１０及び室内機２２０は、第２バス５１０を介して中継器１００に接続される。また、室内機２３０は、第３バス５２０でそれぞれ中継器１００に接続される。
【００２２】
（構成：第１空調システムの集中制御装置）
集中制御装置１は、制御部１１及び第１通信部１２を備える。
【００２３】
制御部１１は、例えばＣＰＵ（Central Processing Unit）などの演算装置と、ワークエリアとなるＲＡＭ(Random Access Memory)、記憶装置であるＲＯＭ（Read Only Memory）などを備えている。演算装置がＲＯＭに格納されたプログラムを実行することにより、制御部１１の機能が実現される。制御部１１は、各空気調和機への制御コマンドを作成して、第１通信部１２を介してその空気調和機へ送信する。制御部１１は、第１通信部１２を介して、空気調和機からの制御コマンドを受信して、その解析を行う。このようにして、制御部１１は、第１通信部１２を介して空気調和機の制御と、運転状態の監視とを行う。
【００２４】
第１通信部１２は、制御部１１で作成された制御コマンドを第１通信方式へ変調して、送信する。また、第１通信部１２は、第１通信方式の集中制御装置１宛の制御コマンドを受信して復調し、制御部１１に出力する。
【００２５】
制御部１１及び第１通信部１２は、別々のデバイスで実現してもよいし、一部または全てのデバイスを共通とするようにしてもよい。
【００２６】
（構成：第１空調システムの室外機）
室外機１１０は、制御部１１１及び第１通信部１１２を備える。
【００２７】
制御部１１１は、例えばＣＰＵなどの演算装置、ワークエリアとなるＲＡＭ、記憶装置であるＲＯＭ（Read Only Memory）などを備える。演算装置がＲＯＭに格納されたプログラムを実行することにより、制御部１１１の機能が実現される。制御部１１１は、第１通信部１１２を介して受信した制御コマンドを解析し、制御コマンドに従って室外機１１０を制御する。制御部１１１は、運転状態を監視し、運転状態に関する制御コマンドを作成し、第１通信部１１２を介して、集中制御装置１に返信する。
【００２８】
第１通信部１１２は、制御部１１１で作成された制御コマンドを、第１通信方式へ変調し送信する。第１通信部１１２は、第１通信方式の室外機１１０宛の制御コマンドを受信、復調して、制御部１１１へ出力する。
【００２９】
制御部１１１、第１通信部１１２は別々のデバイスを用いて実現してもよいし、一部または全てを共通のデバイスを用いて実現してもよい。
【００３０】
（構成：第１空調システムの室内機）
室内機１２０は、制御部１２１及び第１通信部１２２を備える。
【００３１】
制御部１２１は、例えばＣＰＵなどの演算装置、ワークエリアとなるＲＡＭ、記憶装置であるＲＯＭ（Read Only Memory）などを備える。演算装置がＲＯＭに格納されたプログラムを実行することにより、制御部１２１の機能が実現される。制御部１２１は、第１通信部１２２を介して受信した制御コマンドを解析し、制御コマンドに従って室内機１２０を制御する。制御部１２１は、運転状態を監視し、運転状態に関する制御コマンドを生成し、第１通信部１２２を介して、集中制御装置１に返信する。
【００３２】
第１通信部１２２は、制御部１２１で作成された制御コマンドを第１通信方式へ変調し送信する。第１通信部１２２は、第１通信方式の室内機１２０宛の制御コマンドを受信、復調して、制御部１２１へ出力する。
【００３３】
制御部１２１及び第１通信部１２２は、それぞれ別々のデバイスで実現するようにしてもよいし、一部または全てを共通のデバイスを用いて実現するようにしてもよい。
【００３４】
また、集中制御装置１、室外機１１０及び室内機１２０には、それぞれ、接続された系統１Ａにおいて固有の上位アドレスが割り当てられている。
【００３５】
（中継器）
中継器１００は、制御部１０１、第１通信部１０２、アドレス変換テーブル記憶部１０３、操作入力部１０４、第２通信部１０５、第２通信部１０６、第３通信部１０７、アドレスデータベース記憶部１０８及びアドレス設定変更通知部１０９を備える。
【００３６】
制御部１０１は、例えばＣＰＵなどの演算装置と、ワークエリアとなるＲＡＭ、記憶装置であるＲＯＭ（Read Only Memory）とを備える。演算装置がＲＯＭに格納されたプログラムを実行することにより、制御部１０１の機能が実現される。制御部１０１は、操作入力部１０４から入力される操作入力情報と上位空調システム（第１空調システム６００Ａ）及び下位空調システム（第２空調システム６００Ｂ、６０１Ｂ、第３空調システム６００Ｃ）との通信情報に基づいて、種々の動作を行う。このような動作には、下位空調システム（第２空調システム６００Ｂ、６０１Ｂ、第３空調システム６００Ｃ）の空気調和機のアドレス設定、アドレス変換テーブル記憶部１０３の更新及びアドレスデータベース記憶部１０８の検索または更新などがある。さらに、制御部１０１は、上位空調システム（第１空調システム６００Ａ）と下位空調システム（第２空調システム６００Ｂ、６０１Ｂ、第３空調システム６００Ｃ）の制御コマンドのプロトコル変換も行う。
【００３７】
第１通信部１０２の構成を、図２に示す。第１通信部１０２は、自己アドレステーブル１０２ａ、第１送信部１０２ｂ及び第１受信部１０２ｃを備える。
【００３８】
自己アドレステーブル１０２ａは、例えばＲＯＭ（Read Only Memory）またはフラッシュメモリなどの記憶装置内に構築される。自己アドレステーブル１０２ａは、１つ以上の上位アドレスを自己アドレスとして記憶する。中継器１００は、この設定された上位アドレスを用いて第１空調システム６００Ａ内で通信を行う。
【００３９】
第１送信部１０２ｂは、制御部１０１で生成された制御コマンドを第１通信方式へ変調し送信する。
【００４０】
第１受信部１０２ｃは、第１通信方式の自己アドレステーブル１０２ａで記憶されたアドレス宛の制御コマンドを受信、復調し、制御部１０１に出力する。
【００４１】
このように、第１通信部１０２は、１つの装置で、複数の自己アドレスを使い分けて第１空調システム６００Ａ内で通信を行うことができる。自己アドレステーブル１０２ａ、第１送信部１０２ｂ及び第１受信部１０２ｃは、別々のデバイスを用いて実現してもよいし、その一部または全て共通のデバイスを用いて実現してもよい。
【００４２】
アドレス変換テーブル記憶部１０３は、例えばＲＯＭ（Read Only Memory）やフラッシュメモリなどの記憶装置によって構築される。アドレス変換テーブル記憶部１０３は、下位空調システムの空気調和機に割り当てられた上位アドレスと、下位空調システムの空気調和機の下位アドレスとを変換可能なアドレス変換テーブルを記憶する。また、アドレス変換テーブル記憶部１０３は、空気調和機の機種（例えば、集中制御装置１、室外機１１０、室内機１２０など）、通信方式、系統も記憶する。
【００４３】
操作入力部１０４は、作業者（ユーザ）の操作入力を受け付ける。操作入力部１０４は、例えばロ−タリスイッチなどである。操作入力部１０４は、例えば、下位空調システムの空気調和機に割り当てる上位アドレスの基準となるアドレスを設定する。
【００４４】
第２通信部１０５、１０６は、制御部１０１でプロトコル変換された制御コマンドを第２通信方式へ変調し送信する。また、第２通信部１０５、１０６は、第２通信方式で接続される第２空調システム６００Ｂ、６０１Ｂの空気調和機を送信元とする制御コマンドを受信、復調し制御部１０１へ出力する。第２通信部１０５、１０６には、接続された系統２Ａ、２Ｂにおいて固有の下位アドレスが割り当てられている。
【００４５】
第２通信部１０５、１０６の構成は、図２に示す第１通信部１０２の構成と同じである。
【００４６】
第３通信部１０７は、制御部１０１でプロトコル変換された制御コマンドを第３通信方式へ変調し送信する。第３通信部１０７は、第３通信方式で接続される第３空調システム６００Ｃの空気調和機を送信元とする制御コマンドを受信、復調し、制御部１０１へ出力する。また、第３通信部１０７には、接続された系統３Ａにおいて固有の下位アドレスが割り当てられている。
【００４７】
アドレスデータベース記憶部１０８は、例えばＲＯＭやフラッシュメモリなどの記憶装置で構築されている。アドレスデータベース記憶部１０８には、上位ネットワークに接続された空気調和機の上位アドレス、機種が記憶される。
【００４８】
アドレス設定変更通知部１０９は、表示装置である。このような表示装置には、例えばＬＥＤや液晶ディスプレイなどがある。アドレス設定変更通知部１０９は、下位空調システムの空気調和機に割り当てた上位アドレスが、操作入力部１０４の設定値（作業者に指定された上位アドレス）を先頭アドレスとして全て連番となる上位アドレスから変更された際には、その旨を作業者に通知する。このとき、上位アドレスの割り当てが変更された空気調和機の変更前後の上位アドレス、系統などが、作業者に通知される。
【００４９】
制御部１０１、第１通信部１０２、アドレス変換テーブル記憶部１０３、操作入力部１０４、第２通信部１０５、第２通信部１０６、第３通信部１０７、アドレスデータベース記憶部１０８は、別々のデバイスを用いて実現してもよいし、一部または全てのデバイスを共通としてもよい。
【００５０】
なお、この実施の形態では、中継器１００は、第１通信部１０２、第２通信部１０５、第２通信部１０６及び第３通信部１０７を備えている。第２通信部１０６、第３通信部１０７は、それぞれ少なくとも１つ備えていればよい。
【００５１】
また、この実施の形態では、中継器１００は、室外機や室内機と独立した構成となっているが、空気調和機に内蔵されてもよい。
【００５２】
（構成：第２空調システムの室内機）
室内機２００は、制御部２０１と、第２通信部２０２とを備える。
【００５３】
制御部２０１は、例えばＣＰＵなどの演算装置と、ワークエリアとなるＲＡＭ、記憶装置であるＲＯＭ（Read Only Memory）とを備える。演算装置がＲＯＭに格納されたプログラムを実行することにより、制御部２０１の機能が実現される。制御部２０１は、第２通信部２０２を介して受信した制御コマンドを解析し、制御コマンドに従って室内機２００を制御する。制御部２０１は、運転状態を監視し、運転状態に関する制御コマンドを生成し、第２通信部２０２を介して、集中制御装置１に返信する。
【００５４】
第２通信部２０２は、制御部２０１で作成された制御コマンドを第２通信方式へ変調し送信する。第２通信部２０２は、第２通信方式の室内機２００宛の制御コマンドを受信、復調し制御部２０１へ出力する。
【００５５】
制御部２０１、第２通信部２０２は、別々のデバイスを用いて実現してもよいし、一部または全てのデバイスを共通化するようにしてもよい。
【００５６】
（構成：第２空調システムの室外機）
室外機２１０は、制御部２１１と、第２通信部２１２とを備える。
【００５７】
制御部２１１は、例えばＣＰＵなどの演算装置、ワークエリアとなるＲＡＭ、記憶装置であるＲＯＭ（Read Only Memory）などを備える。演算装置がＲＯＭに格納されたプログラムを実行することにより、制御部２１１の機能が実現される。制御部２１１は、第２通信部２１２を介して受信した制御コマンドを解析し、制御コマンドに従って室外機２１０を制御する。制御部２１１は、運転状態を監視し、運転状態に関する制御コマンドを生成し、第２通信部２１２を介して、集中制御装置１に返信する。
【００５８】
第２通信部２１２は、制御部２１１で作成された制御コマンドを第２通信方式へ変調し送信する。また、第２通信部２１２は、第２通信方式の室外機２１０宛の制御コマンドを受信、復調し制御部２１１へ出力する。
【００５９】
制御部２１１、第２通信部２１２は別々のデバイスを用いて実現してもよいし、一部または全てのデバイスを共通化してもよい。
【００６０】
（構成：第２空調システムの室内機）
室内機２２０は、制御部２２１と、第２通信部２２２とを備える。
【００６１】
制御部２２１は、例えばＣＰＵなどの演算装置、ワークエリアとなるＲＡＭ、記憶装置であるＲＯＭ（Read Only Memory）などを備える。演算装置がＲＯＭに格納されたプログラムを実行することにより、制御部２２１の機能が実現される。制御部２２１は、第２通信部２２２を介して受信した制御コマンドを解析し、制御コマンドに従って室内機２２０を制御する。制御部２２１は、運転状態を監視し、運転状態に関する制御コマンドを生成し、第２通信部２２２を介して、集中制御装置１に返信する。
【００６２】
第２通信部２２２は、制御部２２１で作成された制御コマンドを第２通信方式へ変調し送信する。また、第２通信部２２２は、第２通信方式の室外機２２０宛の制御コマンドを受信、復調し制御部２２１へ出力する。
【００６３】
制御部２２１、第２通信部２２２は別々のデバイスを用いて実現してもよいし、一部または全てのデバイスを共通化してもよい。
【００６４】
（構成：第３空調システムの室内機）
室内機２３０は、制御部２３１と、第３通信部２３２とを備える。
【００６５】
制御部２３１は、例えばＣＰＵなどの演算装置、ワークエリアとなるＲＡＭ、記憶装置であるＲＯＭ（Read Only Memory）などを備える。演算装置がＲＯＭに格納されたプログラムを実行することにより、制御部２３１の機能が実現される。制御部２３１は、第３通信部２３２を介して受信した制御コマンドを解析し、制御コマンドに従って室内機２３０を制御する。制御部２３１は、運転状態を監視し、運転状態に関する制御コマンドを生成し、第３通信部２３２を介して、集中制御装置１に返信する。
【００６６】
第３通信部２３２は、制御部２３１で作成された制御コマンドを第３通信方式へ変調し送信する。第３通信部２３２は、第３通信方式の室内機２３０宛の制御コマンドを受信、復調し制御部２３１へ出力する。
【００６７】
制御部２３１、第３通信部２３２は、別々のデバイスを用いて実現してもよいし、一部または全てデバイスを共通化してもよい。
【００６８】
（構成：バス）
第１バス４００は、第１空調システム６００Ａの通信線である。第１バス４００上では、第１通信方式で通信が行われる。この実施の形態では有線が望ましいが、無線でもよい。また、集中制御装置１への電力供給を行う電力線と、中継器１００、室外機１１０、室内機１２０への電力供給を行う電力線とを別々に設けることが望ましいが、電力線を共用としてもよい。
【００６９】
第２バス５００、５１０は、第２空調システム６００Ｂ、６０１Ｂの通信線である。第２バス５００、５１０上の通信は、第２通信方式で行われる。この実施の形態では有線が望ましいが、無線でもよい。また、中継器１００、室内機２００、室外機２１０、室内機２２０への電力供給を行う電力線と別で設けることが望ましいが、電力線と共用でもよい。
【００７０】
第３バス５２０は、第３空調システム６００Ｃの通信線である。第３バス５２０上の通信は、第３通信方式で行われる。この実施の形態では有線が望ましいが、無線でもよい。また中継器１００、室内機２３０への電力供給を行う電力線と別で設けることが望ましいが、電力線と共用でもよい。
【００７１】
図３には、中継器１００の機能的な構成が示されている。図３に示すように、中継器１００は、下位情報取得部５０と、データベース生成部５１と、アドレス割り当て部５２と、テーブル生成部５３と、アドレス設定部５４と、アドレス変換部５５と、通知部５６とを備える。
【００７２】
下位情報取得部５０は、下位ネットワークを探索し、下位ネットワークに接続された空気調和機の下位アドレスを取得する。この実施の形態では、下位空調システムが探索され、室内機２００、室外機２１０、室内機２２０、室内機２３０の下位アドレスが取得される。
【００７３】
データベース生成部５１は、上位ネットワークを探索し、上位ネットワークに接続された空気調和機の上位アドレスのデータベースを生成する。この実施の形態では、上位空調システムが探索され、室外機１１０、室内機１２０の上位アドレスのデータベースが作成される。
【００７４】
アドレス割り当て部５２は、下位ネットワークに接続された空気調和機に、上位ネットワークの上位アドレスのうち、空きアドレスを割り当てる。割り当て結果は、アドレスデータベース記憶部１０８に格納される。この実施の形態では、室内機２００、室外機２１０、室内機２２０、室内機２３０に上位ネットワークの空きアドレスが割り当てられる。
【００７５】
テーブル生成部５３は、アドレス割り当て部５２で割り当てられた上位アドレスを、下位情報取得部５０で取得された下位アドレスに変換するアドレス変換テーブルを生成する。生成されたアドレス変換テーブルは、アドレス変換テーブル記憶部１０３に格納される。この実施の形態では、室内機２００、室外機２１０、室内機２２０、室内機２３０について、上位アドレスを下位アドレスに変換するアドレス変換テーブルが作成される。
【００７６】
アドレス設定部５４は、下位空調システムの空気調和機に割り当てられた上位アドレスを自己アドレスとして選択し、第１通信部１０２の自己アドレステーブル１０２ａを更新する。
【００７７】
アドレス変換部５５は、受信した制御パケットの送信先のアドレスを、アドレス変換テーブル記憶部１０３に格納されたアドレス変換テーブルを参照して変換する。
【００７８】
通知部５６は、アドレス設定変更通知部１０９に、通知するデータを送信する。
【００７９】
（動作）
次に、下位空調システムの空気調和機に上位アドレスを割り当てるアドレス設定動作について、操作入力部１０４の設定値が０２ｈの場合を一例として、図４、図５、図６、図７を参照して説明する。この実施の形態では、下位空調システムの空気調和機に割り当てられる上位アドレス（空きアドレス）が、全て連番となるように割り当てられる。
【００８０】
図４には、上記設定を行う時の中継器１００の処理が示されている。
【００８１】
まず、中継器１００（下位情報取得部５０）は、下位空調システムに接続された空気調和機の情報を取得する（ステップＳ１０）。より具体的には、中継器１００（下位情報取得部５０）は、第２通信部１０５、第２通信部１０６、第３通信部１０７の接続の有無を確認して、下位空調システムの空気調和機と通信を行い、下位空調システムの空気調和機の機種、通信方式、系統の情報を取得する。
【００８２】
続いて、中継器１００（データベース生成部５１）は、操作入力部１０４の設定値を、自己アドレスとして自己アドレステーブル１０２ａを更新し、このアドレスを送信元として、上位アドレス探索を行い、アドレスデータベースを生成する（ステップＳ２０）。上位アドレス探索とは、上位空調システムの空気調和機へ機種を問い合わせる制御コマンドである。中継器１００が送信したアドレス検索を受信した上位空調システムの空気調和機は、自身の機種情報を含む応答を中継器１００へ返信する。中継器１００（データベース生成部５１）は、上位空調システムで設定可能なアドレス全てにアドレス探索を行う。このときのアドレスデータベースの一例を、図６に示す（アドレス決定前：ＡＤ００）。
【００８３】
中継器１００（アドレス割り当て部５２）は、生成したアドレスデータベース（アドレス決定前：ＡＤ００）に基づいて、下位空調システムの空気調和機に割り当てる上位アドレスを決定するアドレス割り当て処理を実行する（ステップＳ３０）。ステップＳ３０については、後述する。
【００８４】
次に、中継器１００（アドレス割り当て部５２）は、ステップＳ３０で決定したアドレスに基づいて、アドレスデータベースの更新を行う（ステップＳ４０）。更新後のアドレスデータベースを図６に示す（アドレス決定後：ＡＤ０１）。
【００８５】
中継器１００（テーブル生成部５３）は、ステップＳ１０で取得した情報と、ステップＳ４０で更新したアドレスデータベース（アドレス決定後：ＡＤ０１）とに基づいて、アドレス変換テーブルを生成する（ステップＳ５０）。図７には、生成したアドレス変換テーブルが示されている（アドレス決定後：ＡＴ００）。
【００８６】
そして、中継器１００（アドレス設定部５４）は、ステップＳ４０で更新したアドレスデータベース（アドレス決定後：ＡＤ０１）の中から、下位空調システムの空気調和機に割り当てられた上位アドレスを自己アドレスとして選択し、第１通信部１０２の自己アドレステーブル１０２ａを更新する（ステップＳ６０）。
【００８７】
ここで、ステップＳ３０のアドレス決定処理について、図５を参照して説明する。
【００８８】
まず、中継器１００（アドレス割り当て部５２）は、アドレスデータベース（アドレス決定前：ＡＤ００）を検索し、下位空調システムの空気調和機に、操作入力部１０４の設定値を先頭アドレスとして全て連番となるように上位アドレスを割り当てることが可能であるか否かを判定する（ステップＳ３１）。図６に示すように、アドレス０４ｈは室内機１２０が使用しているため、上記割り当てを行うと上位アドレスの重複が生じてしまう（アドレス決定前：ＡＤ００）。この場合、中継器１００（アドレス割り当て部５２）は、割り当ては不可能だと判定する（ステップＳ３１；Ｎｏ）。
【００８９】
操作入力部１０４の設定値を基準とする連番のアドレスが、上位ネットワークに接続された空気調和機のアドレスと重複する場合（ステップＳ３１；Ｎｏ）、中継器１００（アドレス割り当て部５２）は、アドレスデータベース（ＡＤ００）を検索し、下位空調システムの空気調和機の台数分、連続で未使用となっている他の連番の空きアドレス、すなわち空きアドレス群を検索して、その空きアドレス群を空きアドレスとして下位ネットワークに接続された空気調和機に割り当てる（ステップＳ３３）。ここでは、中継器１００は、検索により判明した連番の空きアドレス群が、下位空調システムの空気調和機へ割り当てる上位アドレスとして決定される。
【００９０】
ここでは、アドレスを最小値から検索するが、最大値や任意の値から検索を行うようにしてもよい。このように、アドレスの重複が生じる際は、アドレス割り当て部５２は、下位空調システムの空気調和機へ割り当てる上位アドレスを変更する。こうすることで、既存の上位空調システムの空気調和機のアドレスを変更することなく、下位空調システムの空気調和機へ上位アドレスを割り当てることができる。
【００９１】
また、ここでは、アドレス割り当て部５２は、下位空調システムの空気調和機に、連番の空きアドレスを割り当てる。しかしながら、同系統の空気調和機に割り当てるアドレスが連番となればよく、異なる系統の空気調和機に割り当てられるアドレスは必ずしも連番でなくてもよい。
【００９２】
続いて、中継器１００（通知部５６）は、下位空調システムの空気調和機に割り当てた上位アドレスが、作業者に指定されたアドレスを基準とする連番のアドレスではないこと、すなわち、操作入力部１０４の設定値を先頭アドレスとするものから変更されたアドレス設定変更を通知する（ステップＳ３４）。このとき、上位アドレスの割り当てが変更された空気調和機の変更前後の上位アドレス、系統などが、アドレス設定変更通知部１０９を介して作業者に通知される。これにより、作業者が、下位空調システムの空気調和機に割り当てられた上位アドレスを知ることができる。
【００９３】
また、下位空調システムの空気調和機に、操作入力部１０４の設定値を先頭アドレスとして全て連番となるように上位アドレスを割り当てることが可能と判定した場合（ステップＳ３１；Ｙｅｓ）、中継器１００（アドレス割り当て部５２）は、操作入力部１０４によって指定されたアドレスを基準とする連番のアドレスを、下位ネットワークに接続された空気調和機に、空きアドレスとして割り当てる（ステップＳ３２）。
【００９４】
以上のように、下位空調システムの空気調和機に上位アドレスを割り当てることで、下位空調システムの空気調和機への上位アドレス割り当てなどの機能を上位空調システムに追加することなく、下位空調システムの空気調和機へ上位アドレスの設定作業を行うことができる。
【００９５】
中継器１００（アドレス変換部５５）が、下位空調システムの空気調和機に割り当てられた上位アドレスを宛先とする制御コマンドを受信すると、制御コマンドのプロトコル変換を行い、アドレス変換テーブル（図７：ＡＴ００）から制御コマンドの宛先を下位アドレスへ変換する。このようにすることで、上位空調システムが、下位空調システムの空気調和機と通信することができる。
【００９６】
（効果）
以上詳細に説明したように、この実施の形態によれば、既存の上位空調システムに、複数の下位空調システムを、中継器１００を用いて接続する。さらに、下位空調システムの空気調和機に上位アドレスを割り当てる。このようにすることで、上位空調システムはこの割り当てられたアドレスを用いて下位空調システムの空気調和機と通信ができる。この結果、上位空調システム、下位空調システムの仕様を変更することなく、上位空調システムから、下位空調システムの空気調和機の個別制御を行うことができる。
【００９７】
すなわち、この実施の形態によれば、下位ネットワークに接続された空気調和機に、上位ネットワークの上位アドレスを割り当てることができるので、上位ネットワーク、下位ネットワークの仕様を変更することなく、既存の上位ネットワークに接続された集中制御装置から既存の下位ネットワークに接続された空気調和機の個別制御を行うことができる。
【００９８】
また、中継器１００は、同系統の第２空調システムの空気調和機に対して、アドレスが連番となるように、第１空調システム６００Ａのアドレスの割り当てを行う。このようにすることで、割り当てる第１空調システムのアドレスと系統とを関連付けることができる。このため、作業者が空気調和機の管理を行うのが容易になる。
【００９９】
なお、空調システムの拡張のため、既存の上位空調システムに下位空調システムを接続する場合のみならず、拡張後、下位空調システムに空気調和機を追加接続した際にも、下位空調システムの空気調和機に上位アドレスを割り当てるアドレス設定処理を行えばよい。このようにすることで、追加された空気調和機に対しても、上位アドレスを重複することなく割り当てることができる。
【０１００】
また、上位空調システムに、中継器１００を介して上位空調システムと通信方式が異なる既存の下位空調システムを接続する。こうすることで、接続される下位空調システムの空気調和機それぞれについて配線工事を行って上位空調システムに接続する必要がなくなる。このため、空調システムの拡張作業を短時間、低コストで行うことができる。
【０１０１】
なお、この実施の形態では、第１通信方式、第２通信方式、第３通信方式は異なっているが、同じ通信方式であってもよい。
【０１０２】
同じ空調システムで異なる系統の空調システムを接続する際には、接続する空調システムの空気調和機のアドレスを再設定する必要がなく、作業者の手間をかけず空調システムの拡張を行うことができる。
【０１０３】
また、中継器１３０に第２通信部、第３通信部とは異なる通信部を１つ以上追加し、追加した通信部の通信方式に対応した、アドレス割り当て機能、プロトコル変換機能などを備えることで、第１通信方式、第２通信方式、第３通信方式とは異なる通信方式で通信する空調システムも追加接続することが可能である。これにより、第１空調システムに様々な通信方式で通信する空調システムを接続し空調システムの拡張を行うことが可能になる。
【０１０４】
実施の形態２．
次に、この発明の実施の形態２について説明する。
【０１０５】
上記実施の形態１では、下位空調システムの空気調和機へ上位アドレスを割り当てるアドレス設定処理において、アドレスの重複が生じると判定した場合には、下位空調システムへの空気調和機へ割り当てる上位アドレスを変更した。しかし、この実施の形態では、別にアドレスが重複した第１空調システムの空気調和機のアドレスを変更する。
【０１０６】
（構成）
この実施の形態に係るネットワーク空調システム９００の構成は、実施の形態１に係るネットワーク空調システム９００の構成と同じである。
【０１０７】
（動作）
図１の構成で、下位空調システムの空気調和機への上位アドレスを割り当てるアドレス設定動作において、操作入力部１０４の設定値が０２ｈのときを例として図８、図９、図１０、図１１を用いて説明する。この実施の形態では、下位空調システムの空気調和機に割り当てられる上位アドレスが、全て連番となるように上位アドレスを割り当てる。
【０１０８】
図８には、上記設定を行う際の中継器１００の処理が示されている。
【０１０９】
ステップＳ１０、Ｓ２０、Ｓ４０、Ｓ５０、Ｓ６０は、上記実施の形態１と同じである。
【０１１０】
ステップＳ３５のアドレス割り当て処理について、図９を参照して説明する。ステップＳ３１、Ｓ３２は、実施の形態１と同じである。
【０１１１】
中継器１００（アドレス割り当て部５２）は、下位空調システムの空気調和機に、操作入力部１０４の設定値を先頭アドレスとして全て連番となるように上位アドレスを割り当てることが可能か否かを判定する（ステップＳ３１）。不可能と判定した場合（ステップＳ３１；Ｎｏ）、中継器１００（アドレス割り当て部５２）は、アドレスデータベース（ＡＤ００）を検索し、アドレスが重複していた室内機１２０と通信し、例えば、図１０に示すように、上位空調システムに接続された空気調和機のアドレスを、下位空調システムに接続された空気調和機に割り当てるアドレスと重複しないように変更する（ステップＳ３６）。この実施の形態では、アドレスを最小値から検索する。しかしながら、最大値や任意の値からアドレスの検索を行ってもよい。このように、アドレス重複が生じる際には、上位空調システムの空気調和機のアドレスを変更することで、下位空調システムの空気調和機へ作業者が任意の上位アドレスを割り当てることができる。
【０１１２】
続いて、中継器１００（通知部５６）は、アドレスが重複した上位空調システムの空気調和機のアドレスが変更されたことを、アドレス設定変更通知部１０９を用いて通知する（ステップＳ３７）。この場合、中継器１００（通知部５６）は、変更前後の上位アドレスなどの情報を、アドレス設定変更通知部１０９を介して作業者へ通知する。これにより、作業者が、アドレスが変更された上位空調システムの空気調和機のアドレスを知ることができる。
【０１１３】
また、上位空調システムの空気調和機のアドレスが変更された際には、上位空調システムの空気調和機の上位アドレスが変更されたことが通知される。このとき、変更前後の空気調和機の上位アドレスなどが作業者に通知される。
【０１１４】
仮に、アドレス重複が生じず、アドレス設定可能と判定された場合（ステップＳ３１；Ｙｅｓ）、またはステップＳ３７実行後、中継器１００（アドレス割り当て部５２）は、操作入力部１０４の設定値を先頭アドレスとして、上位アドレスを割り当てる（ステップＳ３２）。その後、図８のステップＳ５０において、例えば、図１１に示すようなアドレス変換テーブルが生成される。
【０１１５】
以上詳細に説明したように、この実施の形態によれば、下位空調システムの空気調和機に上位アドレスを割り当てる。このようにすることで、上位空調システムに下位空調システムの空気調和機への上位アドレス割り当てなどの機能を追加することなく、下位空調システムの空気調和機へ上位アドレスの設定作業を行うことができる。
【０１１６】
また、この実施の形態では、上位空調システムの空気調和機と、下位空調システムの空気調和機とで、上位アドレスが重複する場合には、上位空調システムの空気調和機のアドレスを変更した。このようにすれば、下位空調システムの空気調和機に付与する上位アドレスを、作業者の意向に沿ったものとすることができる。
【０１１７】
実施の形態３．
次に、この発明の実施の形態３について説明する。
【０１１８】
上記実施の形態１、２では、下位空調システムの空気調和機へ割り当てる上位アドレスを、中継器１００が決定した。しかしながら、上記アドレスを第１空調システム６００Ａの集中制御装置１が、下位空調システムの空気調和機へ上位アドレスを割り当てるようにしてもよい。このようにしても、この実施の形態１、この実施の形態２に係るネットワーク空調システム９００と同様に、上位空調システム、下位空調システムの仕様を変更することなく、上位空調システムから下位空調システムの空気調和機の個別制御を行うことができる。
【０１１９】
この実施の形態では、図１２を参照してネットワーク空調システム９００の構成について説明するが、これは、この発明を限定するものではない。
【０１２０】
（全体構成）
図１２に示すように、ネットワーク空調システム９００は、第１空調システム６００Ａと、第２空調システム６００Ｂ、６０１Ｂと、第３空調システム６００Ｃとを備える。第１空調システム６００Ａは、集中制御装置１、室外機１１０、室内機１２０を備える。第１空調システム６００Ａは、第１通信方式で通信が行われる。第２空調システム６００Ｂは、室内機２００を備える。第２空調システム６０１Ｂは、室外機２１０及び室内機２２０を備える。第２空調システム６００Ｂ、６０１Ｂでは、第２通信方式で通信が行われる。第３空調システム６００Ｃは、室内機２３０を備える。第３空調システムでは、第３通信方式で通信が行われる。中継器１３０は、第１空調システム６００Ａ、第２空調システム６００Ｂ、６０１Ｂ、第３空調システム６００Ｃを接続する。
【０１２１】
集中制御装置１、中継器１３０、室外機１１０、室内機１２０は、第１バス４００で接続される。室内機２００は、第２バス５００で中継器１３０に接続される。室外機２１０、室内機２２０は、第２バス５１０で中継器に接続される。室内機２３０は、第３バス５２０で中継器１３０に接続される。
【０１２２】
室外機１１０、室内機１２０、室外機２１０、室内機２２０、室内機２３０、第１バス４００、第２バス５００、第２バス５１０、第３バス５２０は、上記実施の形態１と同じである。
【０１２３】
（構成：第１空調システムの集中制御装置）
集中制御装置１は、第１通信部１２、アドレスデータベース記憶部１０８及び制御部１１ｂを備える。
【０１２４】
第１通信部１２は、上記実施の形態１と同様である。
【０１２５】
アドレスデータベース記憶部１０８は、上記実施の形態１のアドレスデータベース記憶部１０８と同じである。
【０１２６】
制御部１１ｂは、例えばＣＰＵなどの演算装置及びワークエリアとなるＲＡＭ、記憶装置であるＲＯＭ（Read Only Memory）などを備える。演算装置がＲＯＭに格納されたプログラムを実行することにより、制御部１１ｂの機能が実現される。これにより、制御部１１ｂは、制御コマンドの作成や解釈を行い、第１通信部１２を介して空気調和機の制御と、運転状態の監視とを行う。また、制御部１１ｂは、アドレスデータベースの検索や更新も行う。
【０１２７】
第１通信部１２、アドレスデータベース記憶部１０８、制御部１１ｂは、別々のデバイスを用いて実現してもよいし、一部または全てデバイスを共通化してもよい。また、集中制御装置１は、固有の上位アドレスを有している。
【０１２８】
（構成：中継器）
中継器１３０は、第１通信部１０２、アドレス変換テーブル記憶部１０３、操作入力部１０４、第２通信部１０５、第２通信部１０６、第３通信部１０７及び制御部１０１ｂを備える。すなわち、この実施の形態に係る中継器１３０は、第１通信部１０２、アドレス変換テーブル記憶部１０３、操作入力部１０４、第２通信部１０５、第２通信部１０６及び第３通信部１０７を備えるのは、上記実施の形態１に係る中継器１００と同じである。
【０１２９】
制御部１０１ｂは、例えばＣＰＵなどの演算装置、ワークエリアとなるＲＡＭ、記憶装置であるＲＯＭ（Read Only Memory）などを備える。演算装置がＲＯＭに格納されたプログラムを実行することにより、制御部１０１ｂの機能が実現される。制御部１０１ｂは、操作入力部１０４からの取得情報、接続された下位空調システムとの通信情報、上位空調システムとの通信情報に基づいて、中継器１００に接続される下位空調システムの空気調和機のアドレス設定やアドレス変換テーブル記憶部１０３の更新などを行う。さらに、制御部１０１ｂは、上位空調システムと下位空調システムとの制御コマンドのプロトコル変換も行う。
【０１３０】
第１通信部１０２、アドレス変換テーブル記憶部１０３、操作入力部１０４、第２通信部１０５、第２通信部１０６、第３通信部１０７、制御部１０１ｂは別々のデバイスを用いて実現してもよいし、一部または全てデバイスを共通化してもよい。
【０１３１】
なお、この実施の形態では、中継器１３０が、第１通信部１０２、第２通信部１０５、第２通信部１０６、第３通信部１０７を備えるものとした。しかしながら、中継器１３０は、第２通信部と、第３通信部とのいずれかを備えていればよい。
【０１３２】
また、この実施の形態では、中継器１３０は、室外機や室内機と独立した構成となっているが、空気調和機に内蔵されるようにしてもよい。
【０１３３】
図１３には、中継器１３０の制御部１０１ｂと集中制御装置１の制御部１１ｂを中心とした機能構成が示されている。図１３に示すように、この実施の形態では、下位情報取得部５０と、テーブル生成部５３と、アドレス設定部５４と、アドレス変換部５５と、通知部５６とが、制御部１０１ｂに設けられている。また、データベース生成部５１と、アドレス割り当て部５２とが、上位ネットワークに接続された制御部１１ｂに設けられている。
【０１３４】
（動作）
ネットワーク空調システム９００における、下位空調システムの空気調和機への上位アドレスを割り当てるアドレス設定処理について、図１４、図１５を参照して説明する。この実施の形態では、下位空調システムの空気調和機に割り当てられる上位アドレスが、全て連番となるようにする。
【０１３５】
図１４には、上記設定を行う際の中継器１３０の処理が示されている。
【０１３６】
ステップＳ１０は、上記実施の形態１と同じである。
【０１３７】
ステップＳ１０実行後、中継器１３０は、操作入力部１０４の設定値を自己アドレスとすることにより、自己アドレステーブル１０２ａを更新し、このアドレスを送信元として、集中制御装置１にアドレスデータベース問い合わせを送信し、集中制御装置１からアドレス決定通知を受信する（ステップＳ７０）。より具体的には、中継器１３０は、下位空調システムの空気調和機に割り当てる上位アドレスが、操作入力部１０４の設定値を先頭アドレスとして全て連番となるように上位アドレスを割り当てることが可能かを問い合わせる。集中制御装置１は、中継器１３０に接続される下位空調システムの空気調和機に割り当てる上位アドレスを決定し、決定された上位アドレスの情報を、中継器１３０にアドレス決定通知として返信する。集中制御装置１のアドレス割り当て処理については後述する。
【０１３８】
集中制御装置１からアドレス決定通知を受信した中継器１３０は、受信したアドレス決定通知に基づいて、アドレス設定の変更があるか否かを判定する（ステップＳ８０）。アドレス設定の変更があった場合（ステップＳ８０；Ｙｅｓ）、中継器１３０（通知部５６）は、アドレス設定変更通知部１０９を介して、アドレス設定変更通知を行う（ステップＳ８１）。
【０１３９】
具体的には、アドレス決定通知において、下位空調システムの空気調和機に割り当てられる上位アドレスが、作業者が指定したアドレス群から変更されていたことを、中継器１３０は、アドレス設定変更通知部１０９を介して、作業者に通知する。このとき、上位アドレスの割り当てが変更された空気調和機の変更前後の上位アドレス、系統なども通知される。
【０１４０】
ステップＳ８０またはステップＳ８１の実行後、中継器１３０（テーブル生成部５３）は、ステップＳ１０で取得した情報と、ステップＳ７０で集中制御装置１から受信したアドレス決定通知とに基づいて、アドレス変換テーブルを生成し、アドレス変換テーブル記憶部１０３に記憶する（ステップＳ５１）。
【０１４１】
続いて、ステップＳ７０で集中制御装置１から受信したアドレス決定通知に基づいて、中継器１３０（アドレス設定部５４）は、自己アドレスを設定し、第１通信部１０２の自己アドレステーブル１０２ａを更新する（ステップＳ６１）。ステップＳ６１を実行した後、中継器１３０（制御部１０１ｂ）は、処理を終了する。
【０１４２】
続いて、集中制御装置１のアドレス決定処理について、図１５を参照して説明する。
【０１４３】
まず、集中制御装置１は、中継器１３０から送信されたアドレス問い合わせを、受信する（ステップＳ１０１）。
【０１４４】
続いて、集中制御装置１は、下位空調システムの空気調和機に割り当てられる上位アドレスが、未使用であり、他の空気調和機とアドレスが重複することなく、操作入力部１０４の設定値を先頭アドレスとして全て連番となるように上位アドレスを設定可能であるか否かを判定する（ステップＳ１０２）。
【０１４５】
下位空調システムの空気調和機に割り当てられる上位アドレスが、操作入力部１０４の設定値を先頭アドレスとして全て連番となるように上位アドレスを割り当てることが不可能だと判定した場合（ステップＳ１０２；Ｎｏ）、集中制御装置１（アドレス割り当て部５２）は、アドレスデータベースを検索し、下位空調システムの空気調和機台数連続で未使用となっている空きアドレス群を検索し、検索により判明した連番の空きアドレス群を、下位空調システムの空気調和機へ割り当てる上位アドレスとして設定する（ステップＳ１０３）。アドレスの検索は最小値から行ってもよいし、最大値や任意の値から検索を行ってもよい。このように、アドレス重複が生じる際は、下位空調システムの空気調和機へ割り当てる上位アドレスを変更する。このようにすることで、既存の上位空調システムの空気調和機のアドレスを変更することなく下位空調システムの空気調和機へ上位アドレスを割り当てることができる。
【０１４６】
仮に、下位空調システムの空気調和機に割り当てられる上位アドレスが、操作入力部１０４の設定値を先頭アドレスとして全て連番となるように上位アドレスを割り当てることが可能だと判定した場合（ステップＳ１０２；Ｙｅｓ）、集中制御装置１（アドレス割り当て部５２）は、下位空調システムの空気調和機に割り当てられる上位アドレスが、操作入力部１０４の設定値を先頭アドレスとして全て連番となるように上位アドレスを設定する（ステップＳ１０４）。
【０１４７】
続いて、集中制御装置１（アドレス割り当て部５２）は、ステップＳ１０３またはステップＳ１０４で決定されたアドレスに基づいて、アドレスデータベースを更新する（ステップＳ１０５）。
【０１４８】
続いて、集中制御装置１（アドレス割り当て部５２）は、アドレス決定通知を、中継器１３０に送信する（ステップＳ１０６）。ここでは、決定した中継器１３０に接続される下位空調システムの空気調和機に割り当てる上位アドレス情報を含むアドレスデータベース情報が、中継器１３０に通知される。上位システムの空気調和機のアドレス変更を行った際は、アドレス変更したことと、変更前後のアドレスなどの情報が中継器１３０に通知される。
【０１４９】
以上詳細に説明したように、この実施の形態によれば、下位空調システムの空気調和機への上位アドレスの割り当てを、集中制御装置１で行う。これにより、中継器１３０の処理負担を軽減することができる。
【０１５０】
実施の形態４．
次に、この発明の実施の形態４について説明する。
【０１５１】
上記実施の形態３では、下位空調システムの空気調和機への上位アドレスを割り当てるアドレス設定動作において、集中制御装置１がアドレスの重複が生じると判定した際は、下位空調システムへの空気調和機へ割り当てる上位アドレスを操作入力部１０４の設定値を先頭アドレスとしたアドレス群から変更した。この実施の形態では、アドレスが重複した上位空調システムの空気調和機のアドレスを変更する。
【０１５２】
（構成）
この実施の形態に係るネットワーク空調システム９００の構成は、実施の形態３に係るネットワーク空調システム９００と同じである。
【０１５３】
（動作）
図１３の構成で、下位空調システムの空気調和機への上位アドレスを割り当てるアドレス設定動作について、図１４、図１６を参照して説明する。この実施の形態では、下位空調システムの空気調和機に割り当てられる上位アドレスが全て連番となるように、上位アドレスが割り当てられる。
【０１５４】
図１４に、上記設定を行う際の中継器１３０の処理が示されている。この実施の形態において中継器１３０の処理は、上記実施の形態３に係る中継器１００の処理と同様である。
【０１５５】
集中制御装置１のアドレス割り当て処理について、図１６を参照して、説明する。
【０１５６】
ステップＳ１０１、Ｓ１０４、Ｓ１０５、Ｓ１０６は、上記実施の形態３と同様である。
【０１５７】
下位空調システムの空気調和機に割り当てられる上位アドレスが、操作入力部１０４の設定値を先頭アドレスとして全て連番となるように上位アドレスを割り当てることが不可能だと判定した場合（ステップＳ１０２；Ｎｏ）、集中制御装置１（アドレス割り当て部５２）は、アドレスデータベースから空きアドレスを検索し、アドレスが重複していた上位空調システムの空気調和機と通信し、アドレスが重複していた上位空調システムの空気調和機のアドレスを変更する（ステップＳ１０３）。
【０１５８】
また、アドレスが重複した第１空調システム６００Ａの空気調和機のアドレスを変更した場合には、アドレスを変更したこと、変更前後のアドレスなどの情報がアドレス設定変更通知部１０９を用いて作業者に通知される。これにより、作業者は下位空調システムの空気調和機に割り当てられた上位アドレス、もしくはアドレス変更された第１空調システムの空気調和機のアドレスを知ることができる。
【０１５９】
以上詳細に説明したように、この実施の形態によれば、アドレス重複が生じる際は、上位空調システムの空気調和機のアドレスを変更することで、下位空調システムの空気調和機に対して作業者が所望の上位アドレスを割り当てることができる。
【０１６０】
なお、上記実施の形態において、実行されるプログラムは、フレキシブルディスク、ＣＤ−ＲＯＭ（Compact Disk Read-Only Memory）、ＤＶＤ（Digital Versatile Disk）、ＭＯ（Magneto-Optical Disk）等のコンピュータ読み取り可能な記録媒体に格納して配布し、そのプログラムをインストールすることにより、上述の処理を実行するシステムを構成することとしてもよい。
【０１６１】
また、プログラムをインターネット等の通信ネットワーク上の所定のサーバ装置が有するディスク装置等に格納しておき、例えば、搬送波に重畳させて、ダウンロード等するようにしてもよい。
【０１６２】
また、上述の機能を、ＯＳ（Operating System）が分担して実現する場合またはＯＳとアプリケーションとの協働により実現する場合等には、ＯＳ以外の部分のみを媒体に格納して配布してもよく、また、ダウンロード等してもよい。
【０１６３】
この発明は、この発明の広義の精神と範囲を逸脱することなく、様々な実施の形態及び変形が可能とされるものである。また、上述した実施の形態は、この発明を説明するためのものであり、この発明の範囲を限定するものではない。すなわち、この発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【０１６４】
この発明は、既存の上位空調システムに既存の下位空調システムを接続し、上位空調システムから下位空調システムの空気調和機の個別制御を行うのに、好適である。
【符号の説明】
【０１６５】
１  集中制御装置、１Ａ  系統、２Ａ  系統、２Ｂ  系統、３Ａ  系統、１１  制御部、１１ｂ  制御部、１２  第１通信部、５０  下位情報取得部、５１  データベース生成部、５２  アドレス割り当て部、５３  テーブル生成部、５４  アドレス設定部、５５  アドレス変換部、５６  通知部、１００  中継器、１０１  制御部、１０１ｂ  制御部、１０２  第１通信部、１０２ａ  自己アドレステーブル、１０２ｂ  第１送信部、１０２ｃ  第１受信部、１０３  アドレス変換テーブル記憶部、１０４  操作入力部、１０５、１０６  第２通信部、１０７  第３通信部、１０８  アドレスデータベース記憶部、１０９  アドレス設定変更通知部、１１０  室外機、１１１  制御部、１１２  第１通信部、１２０  室内機、１２１  制御部、１２２  第１通信部、１３０  中継器、２００  室内機、２０１  制御部、２０２  第２通信部、２１０  室外機、２１１  制御部、２１２  第２通信部、２２０  室内機、２２１  制御部、２２２  第２通信部、２３０  室内機、２３１  制御部、２３２  第３通信部、４００  第１バス、５００、５１０  第２バス、５２０  第３バス、６００Ａ  第１空調システム、６００Ｂ、６０１Ｂ  第２空調システム、６００Ｃ  第３空調システム、９００  ネットワーク空調システム
【図１】
0006009057.tif 000002
【図２】
0006009057.tif 000003
【図３】
0006009057.tif 000004
【図４】
0006009057.tif 000005
【図５】
0006009057.tif 000006
【図６】
0006009057.tif 000007
【図７】
0006009057.tif 000008
【図８】
0006009057.tif 000009
【図９】
0006009057.tif 000010
【図１０】
0006009057.tif 000011
【図１１】
0006009057.tif 000012
【図１２】
0006009057.tif 000013
【図１３】
0006009057.tif 000014
【図１４】
0006009057.tif 000015
【図１５】
0006009057.tif 000016
【図１６】
0006009057.tif 000017